(57)【要約】【課題】単純な構造で安価であり、端子台の固定ねじとして好適に使用可能な、接続された電線を取り外すことなくこの電線に他の電線を確実に接続することができるねじ、及びねじとナットを提供する。【解決手段】本発明のねじ１は、上部に第１雄ねじ部１１、下部に第２雄ねじ部１３を有する上下２段構造のねじ部を有し、第１雄ねじ部１１と第２雄ねじ部１３との境界に固定板１５を有し、これらは鋼材など金属材料で一体的に形成されている。第１雄ねじ部１１の頭部１７にはリセス１９が設けられ、固定板１５の外径は、第２雄ねじ部１３の外径よりも大きく、固定板１５と第２雄ねじ部１３との境界に段差部２３が形成されている。この段差部２３は、第２雄ねじ部１３を雌ねじ部に螺合させたとき頭部として機能する。【選択図】図１
2013127307.tif 000002
【特許請求の範囲】
【請求項１】
上部の第１雄ねじ部と下部の第２雄ねじ部との境界に段差部が設けられた上下２段構造のねじ部を有し、前記第１雄ねじ部の上端にリセスが設けられ、
前記段差部の外径が、前記第２雄ねじ部の外径よりも大きいことを特徴とするねじ。
【請求項２】
前記第１雄ねじ部の外径が第２雄ねじ部の外径に比較して大きく、この外径の違いにより前記段差部が形成されていることを特徴とする請求項１に記載のねじ。
【請求項３】
前記第１雄ねじ部と前記第２雄ねじ部との境界に、前記第１雄ねじ部の外径及び前記第２雄ねじ部の外径よりも大きい外径を有する固定板が設けられ、前記第２雄ねじ部と前記固定板とで前記段差部が形成されていることを特徴とする請求項１又は２に記載のねじ。
【請求項４】
請求項１から３のいずれか１に記載のねじと、
前記ねじの第１雄ねじ部に螺合する、頂部に駆動手段が設けられたナットとからなり、
前記ねじの第２雄ねじ部と、螺合する雌ねじ部とで電線又は接続端子を挟み込み固定した状態で、前記第１雄ねじ部及び前記ナットを用いて他の電線又は接続端子を挟み込み固定し、前記電線又は接続端子と前記他の電線又は接続端子とを接続可能なことを特徴とするねじとナット。
【請求項５】
端子台用のねじとナットであって、
前記ナットには絶縁カバーが設けられ、前記駆動手段は、前記絶縁カバーの頂部に設けられていることを特徴とする請求項４に記載のねじとナット。
【発明の詳細な説明】
【技術分野】
【０００１】
本発明は、ねじ及びねじとナットに関し、特に端子台に好適に使用可能なねじ及びねじとナットに関する。
【背景技術】
【０００２】
電気機器等で電線を接続するために用いられる端子台において、配線されている電線の絶縁を調べる、あるいはそこを流れている信号を調べるような場合に、測定器を接続する必要が生じる。このような場合、電線を端子台から取り外し、測定器の測定用電線（リード線）と接続する方法、あるいは測定器のリード線の先端に設けられた蓑虫クリップ、又はワニ口クリップを、電線を固定している端子台のねじ（以下、固定ねじと記す）の頭部に挟み、電線と測定器のリード線とを接続する方法が多く用いられている。以下、測定器のリード線の先端に設けられた蓑虫クリップ、又はワニ口クリップなど接続用のクリップを接続クリップと記す。
【０００３】
前者の電線を端子台から取り外し、測定器のリード線と接続する方法は確実な方法ではあるが、電線を取り外すには対象の電線の電源を切る必要がある。さらに対象の電線の数が多い場合は、復旧も考えると大変な手間がかかる。一方、後者の方法は、簡単に接続することができるが、接続クリップが外れ易く確実な方法とは言い難い。
【０００４】
このような問題を解決するためにこれまでにも多くの方法が提案されている。例えば、外れ難くした接続クリップ（例えば特許文献１参照）、接続クリップを取付け易くするための舌付座金を備える端子台（例えば特許文献２参照）、接続クリップを取付け易くするためにねじに段差を設けた端子台がある（例えば特許文献３参照）。また本件出願人も、磁力を利用した外れ難い接続クリップを発明し特許を取得済であり（例えば特許文献４参照）、さらに端子台の端子と測定器のリード線との接続を容易にする測定用アダプタを特許出願中である（例えば特許文献５参照）。
【先行技術文献】
【特許文献】
【０００５】
【特許文献１】特許第３１４９１４７号公報
【特許文献２】特開２００６−３２４１５８号公報
【特許文献３】特開２００７−２９４３１０号公報
【特許文献４】特許第４５３５８４３号公報
【特許文献５】特開２０１１−１７９８６６号公報
【発明の概要】
【発明が解決しようとする課題】
【０００６】
特許文献１〜３に記載の発明は、従来の接続クリップ、端子台に比較して外れ難い工夫がされているが、基本的に接続クリップを挟み使用するものであるから、力が加わると接続クリップが外れてしまう。特許文献４に記載の接続クリップは、磁力を利用し、固定ねじに接続するものであるが、このクリップも力が加わると外れてしまう。
【０００７】
特許文献５に記載の測定用アダプタは、測定リード線を取付ける取付端子を備えるベース板を端子台の前面に取付け、取付端子の先端部を端子台の固定ねじに接触させ、取付端子の頭部に接続クリップ、あるいは測定リード線の圧着端子を接続する。取付端子の頭部には雄ねじが設けられているので、この雄ねじとナットで測定リード線に取付けられた接続クリップ、圧着端子をしっかりと固定することができる。特許文献５に記載の測定用アダプタは、端子台の接続部を見かけ上、手前に出すことができるので、測定リード線を確実に接続することができる好ましいアダプタであるが、端子台が取付けられている位置、周囲の状況によっては、この測定用アダプタを取付けることができない。また測定用アダプタは、多くの部材で構成されており、安価とは言い難い。
【０００８】
本発明の目的は、単純な構造で安価であり、端子台の固定ねじとして好適に使用可能な、接続された電線を取り外すことなくこの電線に他の電線を確実に接続することができるねじ、及びねじとナットを提供することである。
【課題を解決するための手段】
【０００９】
本発明は、上部の第１雄ねじ部と下部の第２雄ねじ部との境界に段差部が設けられた上下２段構造のねじ部を有し、前記第１雄ねじ部の上端にリセスが設けられ、前記段差部の外径が、前記第２雄ねじ部の外径よりも大きいことを特徴とするねじである。
【００１０】
本発明のねじは、上下２段構造のねじ部を有し、下部の第２雄ねじ部の上端に第２雄ねじ部の外径よりも大きい段差部を有するので、この段差部を第２雄ねじ部の頭部とすることができる。よってこの第２雄ねじ部を雌ねじ部にねじ込むことで電線を固定することができる。第２雄ねじ部で電線を固定した状態で、上部の第１雄ねじ部は、フリーであるので、第１雄ねじ部に螺合するナットを用いて、ここに他の電線を固定することができる。このように本発明のねじを使用すれば、１の電線を固定した状態で、この電線を取り外すことなくこの電線に他の電線を確実に接続することができる。構造が単純なため安価に製造可能であり、端子台の固定ねじとして好適に使用することができる。
【００１１】
また本発明のねじは、前記ねじにおいて、前記第１雄ねじ部の外径が第２雄ねじ部の外径に比較して大きく、この外径の違いにより前記段差部が形成されていることを特徴とする。
【００１２】
第１雄ねじ部の外径を第２雄ねじ部の外径に比較して大きくすることで簡単に段差部を形成することができる。
【００１３】
また本発明のねじは、前記ねじにおいて、前記第１雄ねじ部と前記第２雄ねじ部との境界に、前記第１雄ねじ部の外径及び前記第２雄ねじ部の外径よりも大きい外径を有する固定板が設けられ、前記第２雄ねじ部と前記固定板とで前記段差部が形成されていることを特徴とする。
【００１４】
上部の第１雄ねじ部と下部の第２雄ねじ部との境界の段差部は、前記第１雄ねじ部の外径及び前記第２雄ねじ部の外径よりも大きい外径を有する固定板を、前記第１雄ねじ部と前記第２雄ねじ部との境界に設けることで簡単に形成することができる。
【００１５】
本発明は、前記ねじと、前記ねじの第１雄ねじ部に螺合する、頂部に駆動手段が設けられたナットとからなり、前記ねじの第２雄ねじ部と、螺合する雌ねじ部とで電線又は接続端子を挟み込み固定した状態で、前記第１雄ねじ部及び前記ナットを用いて他の電線又は接続端子を挟み込み固定し、前記電線又は接続端子と前記他の電線又は接続端子とを接続可能なことを特徴とするねじとナットである。
【００１６】
本発明のナットは、従来のナットと異なり頂部に駆動手段が設けられており、本発明のねじとナットは、前記第２雄ねじ部を用いて電線を固定した状態で、前記第１雄ねじ部及び前記ナットを用いて他の電線を固定可能なため、端子台の固定ねじ、さらには２本の電線を接続する接続具として好適に使用することができる。
【００１７】
また本発明のねじとナットは、端子台用のねじとナットであって、前記ナットには絶縁カバーが設けられ、前記駆動手段は、前記絶縁カバーの頂部に設けられていることを特徴とする。
【００１８】
通常、端子台の上面（前面）には着脱式の透明な絶縁カバーが設けられている。端子台に接続された電線の絶縁テストをメガーを用いて行うような場合、絶縁カバーが取り外された状態で行われるが短絡事故等を考えれば好ましいことではない。本発明のナットには、絶縁カバーが設けられているので、端子台の絶縁カバーを取り外した状態でも安全に作業を行うことが可能であり、端子台用のねじとナットとして非常に好ましい。
【発明の効果】
【００１９】
本発明のねじは、途中に段差部が形成された上下２段構造のねじ部を有するので、段差部を第２雄ねじ部の頭部として電線を固定し、第１雄ねじ部を利用して他の電線を固定することができる。このため固定された電線を取り外すことなくこの電線に他の電線を確実に接続することができる。本発明のねじは、単純な構造で安価に製造可能であり、本発明のねじ、及びねじとナットは、端子台の固定ねじ、及び固定ねじとナットとして好適に使用することができる。
【図面の簡単な説明】
【００２０】
【図１】本発明の実施の一形態としてのねじ１の斜視図である。
【図２】図１のねじ１を端子台５１の固定ねじとして使用した状態を示す斜視図である。
【図３】図１のねじ１を端子台５１の固定ねじとして使用し、さらに他の電線を接続した状態を示す断面図である。
【図４】本発明の実施の一形態としてのナット３２の平面図及び断面図である。
【図５】本発明の他の実施形態であるナット３３の平面図及び断面図である。
【図６】本発明の他の実施形態であるねじ２の正面図である。
【図７】本発明の他の実施形態であるねじ３の正面図である。
【図８】本発明の他の実施形態であるねじ４の正面図である。
【発明を実施するための形態】
【００２１】
図１は、本発明の実施の一形態としてのねじ１の斜視図である。図２は、図１のねじ１を端子台５１の固定ねじとして使用した状態を示す斜視図であり、図３は、図１のねじ１を端子台５１の固定ねじとして使用し、さらに他の電線を接続した状態を示す断面図である。以下、ねじ１を端子台５１の固定ねじとして使用する場合を例として説明する。
【００２２】
ねじ１は、上部に第１雄ねじ部１１、下部に第２雄ねじ部１３を有する上下２段構造のねじ部を有し、第１雄ねじ部１１と第２雄ねじ部１３との境界に固定板１５を有し、これらは鋼材、ステンレス材、又は黄銅材など金属材料で一体的に形成されている。使用先、使用目的によっては、合成樹脂を用いて製造してもよい。
【００２３】
ねじ１は、固定板１５より上全てが第１雄ねじ部１１、固定板１５から下全てが第２雄ねじ部１３となっており、固定板１５を除き全体に雄ねじが施されている。ねじ１の底部は通常のねじと同様に平らとなっている。第１雄ねじ部１１と第２雄ねじ部１３の外径、ねじのピッチは同一である。第１雄ねじ部１１及び第２雄ねじ部１３の外径及び長さは特定の大きさ及び長さに限定されるものではなく、使用目的、使用先に応じて適宜決定することができる。固定板１５の外径は、第１雄ねじ部１１及び第２雄ねじ部１３の外径よりも大きく、第１雄ねじ部１１と固定板１５、第２雄ねじ部１３と固定板１５との境界に段差部２１、２３が形成されている。
【００２４】
第１雄ねじ部１１の上端は、なべ状の頭部１７となっており、頭部１７には、ドライバが係止する十字状のリセス１９が設けられている。ここで重要なことは、第１雄ねじ部１１に螺合するナット３１を頭部１７側から螺合させ、ナット３１の底面３４と固定板１５の上面２５とで電線、ワッシャ等を挟み込み固定するため、頭部１７の外径が第１雄ねじ部１１の外径と同一かそれよりも小さくなければならない。通常のねじの場合、頭部の底面で電線、ワッシャ等を固定するため頭部の外径が雄ねじ部の外径に比較し大きくなっているが、このような構成は採用することができない。なお、なべ状の頭部１７を設けることなく、第１雄ねじ部１１の上端に直接、リセス１９を設けてもよい。リセス１９の形状は、特定の形状に限定されるものではなく、公知の形状を使用することができる。
【００２５】
固定板１５は、ねじ部に対して直交するように設けられており、第２雄ねじ部１３との間に段差部２３を形成する。ねじ１は、この段差部２３を利用し、電線等を固定する。具体的には第２雄ねじ部１３を螺合する雌ねじ部に螺合させ、固定板１５の底面２７と雌ねじ部を有する側の部材とで電線、ワッシャ等を挟み込み固定する。このため固定板１５の外径は、少なくとも第２雄ねじ部１３の外径に比較して大きくなければならない。固定板１５の外径は、第２雄ねじ部１３の外径に比較して大きければよく、固定する電線、ワッシャ等の大きさ、使用先に応じて適宜決定することができる。固定板１５の厚さも使用時に変形しない強度を有していれば、特定の厚さに限定されるものではない。固定板１５の形状は、円に限定されず、使用目的、使用先に応じて四角形、六角形の形状のものを使用することができる。製造の容易性、コストの点からは、固定板１５の形状は円が好ましい。
【００２６】
ねじ１の使用例を、端子台５１の固定ねじとして使用する場合を例として説明する。併せて、第１雄ねじ部１１に螺合するナット３１について説明する。ここで使用する端子台５１は、従来から一般的に使用されている端子台である。ねじ１の第２雄ねじ部１３に、スプリングワッシャ６１、電線６３の先端部に取付けられた圧着端子６５を挿通させ、第２雄ねじ部１３を端子台５１の接続金具５３に設けられた雌ねじ部にねじ込み、電線６３を端子台５１に固定する（図２、図３参照）。ねじ１をねじ込むときは、第１雄ねじ部１１の頭部１７に設けられたリセス１９を利用する。固定板１５を第２雄ねじ部１３の頭部と考えれば、固定板１５及び第２雄ねじ部１３の部分は、通常のねじと同じである。
【００２７】
ねじ１を端子台５１の固定ねじとして使用すると、第１雄ねじ部１１が突出し、フリーの状態であるので、この第１雄ねじ部１１を利用して他の電線、例えば測定器の測定リード線６７を固定することができる。測定リード線６７を第１雄ねじ部１１に固定するには、スプリングワッシャ６９、測定リード線６７の先端部の圧着端子７１を第１雄ねじ部１１に挿通し、第１雄ねじ部１１に螺合するナット３１を締め込み固定する。これにより測定リード線６７と電線６３とを確実に接続することができる。なお、スプリングワッシャ６１、６９に代え、ワッシャ（図示省略）を使用してもよく、スプリングワッシャ６１、６９とワッシャ（図示省略）の両方を使用してもよい。この点については、従来のねじと同じように考えればよい。
【００２８】
ねじ１を端子台５１の固定ねじとして使用する場合、ねじ１の第１雄ねじ部１１の長さを不必要に長くするべきではない。端子台５１の場合、端子台５１の上面（前面）５５に透明絶縁カバー（図示省略）が取付けられるため、ねじ１の第１雄ねじ部１１の長さが長すぎると透明絶縁カバーがねじ１の頭部１７に接触し、透明絶縁カバーを取付けることができなくなる。
【００２９】
ナット３１は、従来から使用されている六角ナット、フランジ付き六角ナットを使用することができるが、端子台５１に使用する場合、左右に絶縁壁５７ａ、５７ｂが立設されているので、スペースが狭く、ナット３１の締め付けにナットドライバーを使用できない場合もある。このような場合には、ナット３１を締め込んだときナット３１の頭部（頂部）３５が、ねじ１の頭部１７よりも高くなる高さを有するナット３１を使用し、ナット３１の頭部３５にドライバを係止可能な駆動溝３７を設ければよい。このようなナット３１を使用すれば、駆動溝３７を利用してドライバで簡単に締め込むことができる。
【００３０】
さらに本発明の他の実施形態のナットを図４に示す。（Ａ）はナット３２の平面図、（Ｂ）は、ナット３２の断面図である。ナット３２は、六角ナット本体３９の側面及び上面を覆うように絶縁カバー４１が設けられている。絶縁カバー４１の頭部（頂部）４３には、ナット３２を駆動するための十字状の駆動溝４５が設けられている。この駆動溝４５は、ねじの頭部に設けられるリセスに対応するものであり、この駆動溝４５を用いることで、ナット３２をドライバで締付け、又は緩めることができる。なお、十字状の駆動溝４５に代え、一本の溝でもよく、ドライバが確実に掛止する溝が好ましい。
【００３１】
さらに本発明の他の実施形態のナットを図５に示す。（Ａ）はナット３３の平面図、（Ｂ）は、ナット３３の断面図である。図４に示すナット３２と同一の部材には同一の符号を付して説明を省略する。ナット３３の基本構造は、ナット３２と同一であり、十字状の駆動溝４５に代え、頭部４３には棒状の突起４７が設けられている。この突起４７は、ナット３３を締付け、又は緩める際に使用するものであり、手又はペンチ等の工具で掴み、ナット３３を簡単に回転させることができる。なお、突起４７の形状は、手又はペンチ等の工具で掴み易い形状であれば、他の形状であってもよい。
【００３２】
図４及び図５に示すナット３２、３３は、側面及び上面が絶縁カバー４１で覆われているので、端子台５１の透明絶縁カバーを取り外した状態でも、短絡の恐れがなく安全に作業することができる。なお本実施形態に示すナット３１、３２、３３において、駆動溝３７、４５及び突起４７が、ナットの駆動手段に該当する。
【００３３】
図６は、本発明の他の実施形態であるねじ２の正面図である。図１〜図３に示すねじ１と同一の構成には、同一の符号を付して説明を省略する。図６に示すねじ２は、図１〜図３に示すねじ１と同様に上部に第１雄ねじ部１１、下部に第２雄ねじ部１３を有する上下２段構造のねじ部を有するが、図１〜図３に示すねじ１と異なり、第１雄ねじ部１１と第２雄ねじ部１３との境界に固定板１５が設けられていない。代わりに第１雄ねじ部１１の外径が第２雄ねじ部１３の外径よりも大きく、これにより第１雄ねじ部１１と第２雄ねじ部１３との境界に段差部２３が形成されている。この段差部２３が、図１〜図３に示すねじ１の固定板１５と同様の機能を果たす。なお図１〜図３に示すねじ１の段差部２３の外径が固定板１５の外径であるのに対して、図６に示すねじ２の段差部２３の外径は、第１雄ねじ部１１の外径となる。
【００３４】
ねじ２の使用方法は、図１〜図３に示すねじ１と基本的に同じである。第２雄ねじ部１３を端子台５１の雌ねじ部にねじ込み電線６３を固定する場合において、第１雄ねじ部１１と第２雄ねじ部１３との外径差が小さく段差部２３が小さい場合には、ワッシャを利用することで電線をしっかりと固定することができる。段差部２３の大きさは、使用目的、使用先に応じて適宜決定すればよい。本実施形態のねじ２は、固定板１５を設ける必要がないので、全長を短くすることができる。また構造が簡単で製造も容易である。
【００３５】
図７は、本発明のさらに他の実施形態であるねじ３の正面図である。図７に示すねじ３は、図１〜図３に示すねじ１と図６に示すねじ２とを組み合せたような形態を有する。ねじ３は、第１雄ねじ部１１の外径が第２雄ねじ部１３の外径に比較して大きいことを除けば、図１〜図３に示すねじ１と同様の構成からなり、使用方法も同じである。図７に示すねじ３は、上部の第１雄ねじ部１１の外径が大きく、さらに固定板１５を備えるので電線等をしっかりと固定することができる。
【００３６】
図８は、本発明のさらに他の実施形態であるねじ４の正面図である。図８に示すねじ４は、図７に示すねじ３と類似の形態からなるが、図７に示すねじ３とは逆に第１雄ねじ部１１の外径が第２雄ねじ部１３の外径に比較して小さくなっている。この部分を除けば、他の構成は、図１〜図３に示すねじ１、図７に示すねじ３と同一であり、使用方法も同じである。ねじ４を端子台５１の固定ねじとして使用する場合、第１雄ねじ部１１に固定される電線は、ナット３１で固定される。端子台５１の場合、両側に絶縁壁５７ａ、５７ｂが設けられているのでスペースが狭いが、ねじ４は、第１雄ねじ部１１の外径が小さいのでナット３１が取付け易くなる。
【００３７】
上記実施形態に示すねじ１、２、３、４は、基本的な機能は同一であるから、使用目的、使用する際の状況に応じて適宜好ましいねじ１、２、３、４を選択すればよい。ナット３１、３２、３３も使用目的、使用する際の状況に応じて適宜好ましいナット３１、３２、３３を選択すればよい。
【００３８】
以上のように本発明のねじ１、２、３、４は、上部の第１雄ねじ部１１と下部の第２雄ねじ部１３との境界に段差部２３が設けられており、この段差部２３の外径を第２雄ねじ部１３の外径よりも大きくすることで、この段差部２３を第２雄ねじ部１３の頭部として機能させることができる。これにより第２雄ねじ部１３を利用して１の電線を固定し、第１雄ねじ部１１を利用して他の電線を固定し、これら電線を接続させることができる。ナット３１、３２、３３も頂部にナット３１、３２、３３を回転させるための駆動手段を備えるので使い易い。本発明のねじ１、２、３、４を端子台５１の固定ねじに使用すれば、既設の端子台５１を改造することなく、電線と測定リード線とを簡単、確実に接続することができる。また端子台５１のうち必要な個所にのみ、このねじ１、２、３、４を使用することも可能であり使い勝手がよい。なお、本発明は、上記実施形態に限定されるものではなく、要旨を変更しない範囲で変更して使用することが可能である。また上記実施形態では、ねじ１、２、３、４を端子台５１の固定ねじとして使用する例を示したが、本発明のねじ１、２、３、４は、端子台５１の固定ねじ以外の用途に使用可能なことは言うまでもない。
【符号の説明】
【００３９】
１、２、３、４  ねじ
１１  第１雄ねじ部
１３  第２雄ねじ部
１５  固定板
１７  ねじ頭部
１９  リセス
２３  段差部
３１、３２、３３  ナット
３５  ナットの頭部
３７  駆動溝
３９  ナット本体
４１  絶縁カバー
４３  絶縁カバー頭部
４５  駆動溝
４７  突起
５１  端子台
６３  電線
６７  測定リード線
【図１】
2013127307.tif 000003
【図２】
2013127307.tif 000004
【図３】
2013127307.tif 000005
【図４】
2013127307.tif 000006
【図５】
2013127307.tif 000007
【図６】
2013127307.tif 000008
【図７】
2013127307.tif 000009
【図８】
2013127307.tif 000010